(57)【要約】【課題】シール装着時の位置決めを容易に行うことができ、しかも両面テープ等で固定することなく簡易に装着作業を行うことができるトナーシールを提供する。【解決手段】  トナーを収容するトナー収容部３１が形成されているカートリッジ本体部３０と、トナー収容部３１から放出されたトナーを供給ロール３２から供給を受けて担持している現像ロール４０との隙間をシールするトナーシール１０において、シール基部１１を現像ロール４０の軸方向端部に形設されたストッパ部４２を有する切欠き４１に嵌合させ、シール基部１１と一体成形されたシールリップ１２をカートリッジ本体部３０に摺動自在に密接するようにした。【選択図】図１
2008033201.tif 000002
【特許請求の範囲】
【請求項１】
トナーを収容するトナー収容部が形成されているカートリッジ本体部と、前記トナー収容部から放出されたトナーを担持している現像ロールとの隙間をシールするトナーシールにおいて、
前記現像ロールの軸方向端部に形設されている切欠きに嵌合し、前記カートリッジ本体部にシールリップが摺動自在に密接することを特徴とするトナーシール。
【請求項２】
請求項１に記載のトナーシールにおいて、
前記切欠きにストッパ部が形成されていることを特徴とするトナーシール。
【請求項３】
請求項１若しくは２に記載のトナーシールにおいて、
前記シールリップがスパイラル状に形成されていることを特徴とするトナーシール。
【発明の詳細な説明】
【技術分野】
【０００１】
本発明は、プリンター、複写機及びファクシミリ等に使用されるトナーを密封するために用いられるトナーシールに関する。
【背景技術】
【０００２】
プリンター等には印字、画像を形成するための着色粉末（トナー）が収容されているカートリッジ（はめ込み式の交換部品）が装置本体に着脱自在に装着さる。このカートリッジは、トナーを収容するトナー収容部が形成されているカートリッジ本体部と、トナー収容部に開設されているトナー供給口から放出されたトナーを供給ロールから供給を受けて担持している現像ロールとを備えていて、画像形成時には、現像ロールが回転駆動され担持しているトナーが装置本体の感光ドラム上のレーザ光が照射された部分に転移し感光ドラム上に文字・図形の形にトナーが吸着され、この吸着されたトナーが用紙に転写溶融固着されることで現像が行われる。
【０００３】
この現像ロールを回転駆動させたときに担持しているトナーが現像ロールの軸方向両端部から漏れるのをシールするため、トナーシールが現像ロールの軸方向両端部に配設されている。従来、図４に示すように、このトナーシール１０１は、フェルト・スポンジ等で成形されていて、カートリッジ本体部１０２に固定され現像ロール１０３の軸方向端部の周面１０３ａの一部と摺動自在に密接するように装着されている（下記特許文献１を参照）。なお、１０４は、感光ドラムを示している。
【０００４】
しかしながら、トナーシール１０１は、フェルト・スポンジ等で成形されカートリッジ本体部１０２に接着剤・両面テープ等で固定されるが、フェルトは軟らかいために装着するときの位置決めが難しく、しかも接着剤・両面テープ等で固定するため作業性が悪いとの不具合点も有していた。更に、使用時に材質がフェルトであると位置ズレが生じやすく、トナー漏れが生じるとの不具合も懸念された。
【０００５】
【特許文献１】特開２００２−２８７４８８公報
【発明の開示】
【発明が解決しようとする課題】
【０００６】
本発明は、上記問題点を解決するためになされたものであって、その目的とするところは、装着時の位置決めを容易に行うことができ、しかも両面テープ等で固定することなく簡易に装着作業を行うことができるトナーシールを提供することである。
【課題を解決するための手段】
【０００７】
上記目的を達成するため、本発明の請求項１に係るトナーシールは、トナーを収容するトナー収容部が形成されているカートリッジ本体部と、前記トナー収容部から放出されたトナーを担持している現像ロールとの隙間をシールするトナーシールにおいて、前記現像ロールの軸方向端部に形設されている切欠きに嵌合し、前記カートリッジ本体部にシールリップが摺動自在に密接することを特徴とするものである。
【０００８】
また、本発明の請求項２に係るトナーシールは、請求項１に記載のトナーシールにおいて、前記切欠きにストッパ部が形成されていることを特徴とするものである。
【０００９】
また、本発明の請求項３に係るトナーシールは、請求項１若しくは２に記載のトナーシールにおいて、前記シールリップがスパイラル状に形成されていることを特徴とするものである。
【発明の効果】
【００１０】
本発明は、以下の効果を奏する。
【００１１】
上記構成を備えた本発明の請求項１に記載のトナーシールは、現像ロールの軸方向端部に形設されている切欠きに嵌合させ、シールリップをカートリッジ本体部に密接させることで装着できるので、装着作業を簡易に行うことができ、作業性の向上を図ることができる。
【００１２】
更に、本発明の請求項２に記載のトナーシールのように、切欠きにストッパ部が形成されているとストッパ部にて位置決めを行うことができ、位置決めを容易に、且つ安定的に行うことができ、品質のバラツキを減少することができる。
【００１３】
更に、本発明の請求項３に記載のトナーシールのように、シールリップをスパイラル状に形成してカートリッジ本体部に摺動自在に密接させることで、漏れ出ようとするトナーをトナー収容部に回収し易くすることができる。
【発明を実施するための最良の形態】
【００１４】
以下に図面を参照して、この発明の好適な実施の形態を例示して説明する。図１は、本発明に係るトナーシールが装着されているカートリッジを切断して示す概略説明図であり、図２は、図１におけるＡ矢視断面図である。
【００１５】
本発明に係るトナーシール１０は、プリンター、複写機及びファクシミリ等の装置本体に着脱自在に装着されるカートリッジ２０に装着されるものであって、カートリッジ２０は、トナーシール１０と、カートリッジ本体部３０と、現像ロール４０等を備えている。
【００１６】
カートリッジ本体部３０は、トナーを収容するトナー収容部３１等が形成されていると共に、供給ロール３２等を有しており、トナー収容部３１の内部には、現像剤としてのトナーが収容されており、内部に配設されているルーバーによりトナーは撹拌され、図示しないトナー供給口より放出される。
【００１７】
カートリッジ本体部３０の側方には現像ロール４０が配設されていて、この現像ロール４０にトナー供給口より放出されたトナーを供給する供給ロール３２が現像ロール４０と回転自在に圧接する状態でカートリッジ本体部３０内に配設されている。また、この現像ロール４０が担持しているトナーの供給を受ける装置本体の感光ドラム６０は、アルミ管により成形されており、現像ロール４０と回転自在に圧接するようになっている。
【００１８】
トナーシール１０は、カートリッジ本体部３０と現像ロール４０の軸方向端部の周面との間をシールするものであって、ゴム状弾性体により成形されていて、シール基部１１とシールリップ１２が一体成形されている。シール基部１１は、現像ロール４０の軸方向端部に形設されている切欠き４１に嵌合され、シールリップ１２がカートリッジ本体部３０の周壁３３に摺動自在に密接するように装着される。この場合において、現像ロール４０の切欠き４１に形成されているストッパ４２により、トナーシール１０の固定位置が規制されるようになっている。
【００１９】
トナーシール１０の下方（図１における下側）には、トナー回収部５０が形成されていて、トナーシール１０によりシールされたトナーを回収出来るようになっている。
【００２０】
上記のように構成されたトナーシール１０は、シール基部１１を現像ロール４０の軸方向端部に形設されたストッパ部４２を有する切欠き４１に嵌合させて装着させているので、ストッパ部４２にて位置決めが行われることになり、位置決めを容易に、且つ安定的に行うことが可能となり、品質のバラツキを減少することが可能となる。
【００２１】
更に、トナーシール１０がゴム状弾性体で成形されていて、切欠き４１に嵌合させるだけで現像ロール４０に装着させることができるので、両面テープ等で固定する必要もなく装着作業性の改善が可能となる。
【００２２】
更に、図３に示すように、トナーシール１０のシールリップ１２をスパイラル状に形成したスパイラルシールリップ１３としてもよい。このようにスパイラルシールリップ１３とすることで、漏れ出ようとするトナーをトナー収容部５０に回収し易くすることが可能となる。
【００２３】
なお、トナーシール１０の材質としては、ゴム状弾性体に限定されるものでなく樹脂等でも良い。また、シール基部１１には、装着作業性の改善を目的に金属製の補強環を挿入しても良い。
【図面の簡単な説明】
【００２４】
【図１】本発明に係るトナーシールが装着されているカートリッジの概略説明図
【図２】図１におけるＡ矢視断面図
【図３】別の実施形態の図１におけるＡ矢視断面図
【図４】従来例のトナーシールが装着されているカートリッジの概略説明図
【符号の説明】
【００２５】
１０  トナーシール
１１  シール基部
１２，１３  シールリップ
２０  カートリッジ
３０  カートリッジ本体部
３１  トナー収容部
３２  供給ロール
４０  現像ロール
４１  切欠き
４２  ストッパ
５０  トナー回収部
６０  感光ドラム
【図１】
2008033201.tif 000003
【図２】
2008033201.tif 000004
【図３】
2008033201.tif 000005
【図４】
2008033201.tif 000006